(57)【要約】【課題】筒状の容器本体を特定形状の電子部品を滑り込み状に順次収納して不動状態に保持するものとすることにより、収納された多数の電子部品が輸送中等においても小摩擦を繰り返さず、多数の電子部品間、さらにはそれらと容器間とに静電気が発生するのを防止して、収納された電子部品を輸送中等はもとより取り出す際においても静電気から確実に保護することができる電子部品用容器を提供する。【解決手段】電子部品用容器１は、筒状の容器本体２と、この容器本体２の両端を閉じるキャップ３，３からなる。容器本体２は、透視性を有する生分解性樹脂を押出成形することにより構成される。容器本体２は、断面が略矩形であって、その内面側に電子部品の滑り込み案内と不動保持のための位置規制部４を有する。【選択図】        図１
2004299765.tif 000002
【特許請求の範囲】
【請求項１】
特定形状の電子部品を滑り込み状に順次収納して不動状態に保持する筒状の電子部品用容器であって、筒状の容器本体と、この容器本体の両端を閉じるキャップからなり、上記容器本体は、透視性を有する生分解性樹脂を押出成形することにより構成されていることを特徴とする電子部品用容器。
【請求項２】
筒状の容器本体は、断面が略矩形であって、その内面側に電子部品の滑り込み案内と不動保持のための位置規制部を有することを特徴とする請求項１記載の電子部品用容器。
【請求項３】
容器本体を構成する生分解性樹脂は、化学合成系または天然物利用系のポリマーであり、非イオン系界面活性剤を添加して表面の抵抗率が１０８Ω以下の導電性を有することを特徴とする請求項１または２記載の電子部品用容器。
【発明の詳細な説明】
【０００１】
【発明の属する技術分野】
本発明は、特定形状の電子部品を多数収納して不動状態に保持できる電子部品用容器であって、容器自体を導電性として外部からの静電気を遮断するとともに、殊に輸送中などにおいて収納された多数の電子部品間およびそれらと容器間の摩擦をなくして容器内部での静電気の発生を防止し、もって、収納された電子部品を静電気から保護することができる電子部品用容器に関するものである。
【０００２】
【従来の技術】
ＬＳＩ（大規模集積回路）等の電子部品は、外部から静電気の影響を受けるだけでなく、輸送中などにおいて容器に収納された多数の電子部品間、さらにはそれらと容器間に小摩擦を繰り返すことによっても発生する静電気により破壊されてしまうことが知られている。
【０００３】
しかしながら、収納された多数の電子部品間、さらにはそれらと容器間との間に緩衝材を介在させて輸送中等における摩擦を防止することでは、収納されている電子部品を取り出す際に静電気の発生をまねきかねず、かえって逆効果であることも知られている（特開平１１−１５２１７９号公報参照）。
【０００４】
そこで、本発明は、筒状の容器本体を特定形状の電子部品を滑り込み状に順次収納して不動状態に保持するものとすることにより、収納された多数の電子部品が輸送中等においても小摩擦を繰り返さず、多数の電子部品間、さらにはそれらと容器間とに静電気が発生するのを防止して、収納された電子部品を輸送中等はもとより取り出す際においても静電気から確実に保護することができる電子部品用容器を提供することを目的とするものである。
【０００５】
【課題を解決するための手段】
上記目的を達成するための本発明の請求項１に係る電子部品用容器は、特定形状の電子部品を滑り込み状に順次収納して不動状態に保持する筒状の電子部品用容器であって、筒状の容器本体と、この容器本体の両端を閉じるキャップからなり、上記容器本体は、透視性を有する生分解性樹脂を押出成形することにより構成されていることを特徴とするものである。
【０００６】
また、本発明の請求項２に係る電子部品用容器は、請求項１の構成において、筒状の容器本体は、断面が略矩形であって、その内面側に電子部品の滑り込み案内と不動保持のための位置規制部を有することを特徴とするものである。
【０００７】
さらに、本発明の請求項３に係る電機部品用容器は、請求項１または２の構成において、容器本体を構成する生分解性樹脂は、化学合成系または天然物利用系のポリマーであり、非イオン系界面活性剤を添加して表面の抵抗率が１０８Ω以下の導電性を有することを特徴とするものである。
【０００８】
【発明の実施の形態】
図１は本発明の一実施の形態に係る電子部品用容器の一部破断斜視図、図２は図１に示す電子部品用容器の容器本体の押出成形態様を示す断面図である。
【０００９】
本発明に係る電子部品用容器１は、図１に示すように、筒状で熱断面が略矩形で筒状の容器本体２と、その容器本体の両端を閉じるキャップ３，３とで構成されており、容器本体２の一面には、その内面側に電子部品の滑り込み案内と不動保持のための位置規制部４を形成してある。この位置規制部４は、容器本体２の一面を外側から内側に向けて凹状に突出させた内側に凸条をなしているものである。また、一方のキャップ３は、容器本体２の開口端面を塞ぐキャップ本体５に一対の爪部６，６を設けたものであって、一対の爪部６，６はキャップ３を容器本体２内面に係止するための弾発性を有している。なお、他方のキャップ３も一方のキャップ３と同構成である。
【００１０】
容器本体２は、化学合成系または天然物利用系のポリマーからなる生分解性樹脂で構成され、これらのポリマーには、非イオン系界面活性剤を添加して表面の抵抗率が１０８Ω以下の導電性を有するものとする。化学合成系のポリマーは、ポリ乳酸、ポリブチレンサクシネート・アジペート、ポリエチレンサクシネート、カプトラクトン、コポリエステル（アジピン酸）、コポリエステル、ポリエステルアミド、改質ポリエステル、ポリエステルカーボネート、ポリブチレンサクシネート・カーボネート、ポリビニルアルコール等である。また、天然物利用系のポリマーは、酢酸セルロース、バクテリアセルロース、澱粉／脂肪族ポリエステル、化工澱粉、ハイアミロースコーンスターチ、セルロース／キトサン／澱粉、澱粉系等である。
【００１１】
本発明に係る電子部品用容器１において、容器本体２を構成する生分解性樹脂のポリマーには、非イオン系界面活性剤を添加して表面の抵抗率が１０８Ω以下の導電性を有するものとするが、同様の目的で炭素粉末を添加したものでは透視性が損なわれるのに比べて、非イオン系界面活性剤を添加したものは透視性が良好である。非イオン系界面活性剤としては、花王株式会社製「エヌルグン４０４」、日本サーファクタント工業株式会社製「ＤＥＣＡＧＬＹＮ５−０」がある。非イオン系界面活性剤の添加量は、表面の抵抗率が１０８Ω以下の導電性とするため０．５〜３重量部とする。
【００１２】
本発明に係る電子部品用容器１に電子部品（図示せず）を収納するには、容器本体２の一方の開口端にキャップ３を装着してその開口端を閉じ、他方の開口端から特定形状をなす電子部品を位置規制部４に案内させて順次滑り込ませるように収納する。そして容器本体２に所定数の電子部品を収納したららば、その開口端にキャップ３を装着して封止する。
【００１３】
本発明に係る電子部品用容器１は、その容器本体２が特定形状の電子部品を滑り込み状に順次収納して不動状態に保持するように筒状に構成されているので、電子部品の収納時はもとより、容器本体２内では収納された多数の電子部品が輸送中等においても小摩擦を繰り返さない。このため、多数の電子部品間、さらにはそれらと容器間とに静電気が発生するのを防止して、収納された電子部品を輸送中等はもとより取り出す際においても静電気から確実に保護することができる。
【００１４】
容器本体２は、図２に示すように、押出成形されるものである。図２において、７は押出ダイであり、８はその押出し機、９は芯型、１０は外型、１１は空気調整機である。１２は冷却水槽、１３は引取り機、１４は切断機である。
【００１５】
押出しダイ７の押出し機８から押し出された溶融パリソン１５は、芯型９と外型１０の隙間から押し出され、冷却水槽１２を通して引取機１３により引き出される過程で容器本体２が順次成形される。そして、切断機１４により所要の長さに切断されて個別の容器本体２となる。なお、押出成形の工程においては空気調整機１１から溶融パリソン１５内に圧力空気を吹き込んで容器本体２の断面積が一定に保たれるように調整する。
【００１６】
【発明の効果】
本発明によれば、筒状の容器本体を特定形状の電子部品を滑り込み状に順次収納して不動状態に保持するものとすることにより、収納された多数の電子部品が輸送中等においても小摩擦を繰り返さず、多数の電子部品間、さらにはそれらと容器間とに静電気が発生するのを防止して、収納された電子部品を輸送中等はもとより取り出す際においても静電気から確実に保護することができる電子部品用容器を提供されることになる。
【図面の簡単な説明】
【図１】本発明の一実施の形態に係る電子部品用容器の一部破断斜視図である。
【図２】図１に示す電子部品用容器の容器本体の押出成形態様を示す断面図である。
【符号の説明】
１  電子部品用容器
２  容器本体
３，３  キャップ
４  位置規制部
５  キャップ本体
６、６  爪部
７  押出ダイであり
８  押出し機
９  芯型
１０  外型
１１  空気調整機
１２  冷却水槽
１３  引取り機
１４  切断機
１５  溶融パリソン
【図１】
2004299765.tif 000003
【図２】
2004299765.tif 000004